(57)【要約】【課題】複数のＣＮオペレーターが共有する無線アクセスネットワーク(ＲＡＮ)を有する共有(ＮＳ)システムで、端末機から選択されたＣＮオペレーターをＲＡＮに通知する方法。【解決手段】シグナリング連結を要請する初期直接伝送(ＩＤＴ)メッセージの伝送を要求するとき、端末機は無線資源制御(ＲＲＣ)連結を設定したセルからブロードキャストされるＣＮオペレーター識別子リストのうち、選択されたＣＮオペレーター識別子を獲得し、獲得した識別子をＩＤＴメッセージに含ませてＲＡＮに伝送する。ＲＡＮは端末機からＩＤＴメッセージを受信すれば、ＩＤＴメッセージが識別子を含んでいるかを判断する。識別子を含んでいると、ＲＡＮは、端末機に対して識別子を貯蔵し、含まなければ、端末機に対するコンテキストに貯蔵されている識別子を読み出す。その後、ＲＡＮは端末機に対するコンテキストに貯蔵された識別子を用いて端末機のためのＣＮオペレーターを選択する。【選択図】図３
2006174447.tif 000002
【特許請求の範囲】
【請求項１】
複数のコアネットワーク(Core Network;ＣＮ)オペレーターにより共有される無線アクセスネットワーク(Radio Access Network;ＲＡＮ)を有するネットワーク共有システムで、端末機により選択されたコアネットワークオペレーターを前記無線アクセスネットワークに通知する方法であって、
シグナリング連結を要請するための初期直接伝送(initial direct transfer;ＩＤＴ)メッセージを発生するステップと、
無線資源制御(Radio Resource Control;ＲＲＣ)連結を設定したセルからブロードキャストされる多重識別子リストのコアネットワークオペレーター識別子のうち、選択されたコアネットワークオペレーター識別子(identifier;ＩＤ)を獲得するステップと、
前記獲得したコアネットワークオペレーター識別子を前記ＩＤＴメッセージに挿入して前記無線アクセスネットワークに伝送するステップと、
を含むことを特徴とする通知方法。
【請求項２】
前記コアネットワークオペレーター識別子はＰＬＭＮ(Public Land Mobile Network)識別子であることを特徴とする請求項１に記載の通知方法。
【請求項３】
前記獲得ステップは、
前記端末機が位置する現在のセルでＲＲＣ連結が存在しなければ、前記現在のセルを管理する無線網制御器(Radio Network Controller;ＲＮＣ)とＲＲＣ連結を設定するステップと、
前記ＲＲＣ連結を設定した後に、前記現在のセルからブロードキャストされる多重識別子リストの前記コアネットワークオペレーター識別子のうち、一つを選択するステップと、
を含むことを特徴とする請求項１に記載の通知方法。
【請求項４】
前記獲得ステップは、
前記端末機が位置する現在のセルでＲＲＣ連結が存在すれば、貯蔵されている前記選択されたコアネットワークオペレーター識別子を読み出すステップを含むことを特徴とする請求項１に記載の通知方法。
【請求項５】
前記伝送ステップは、
前記ＩＤＴメッセージが、前記ＲＲＣ連結の設定以後に最初に発生したＩＤＴメッセージであるかを判断するステップと、
前記ＩＤＴメッセージが最初に発生したＩＤＴメッセージであれば、前記ＩＤＴメッセージに前記選択されたコアネットワークオペレーター識別子を挿入して前記無線網制御器に伝送するステップと、
を含むことを特徴とする請求項３に記載の通知方法。
【請求項６】
前記ＩＤＴメッセージが最初に発生したＩＤＴメッセージでなければ、前記ＩＤＴメッセージにコアネットワークオペレーター識別子を挿入せず、前記無線網制御器に伝送するステップをさらに含むことを特徴とする請求項５に記載の通知方法。
【請求項７】
複数のコアネットワーク(ＣＮ)オペレーターにより共有される無線アクセスネットワーク(ＲＡＮ)を有するネットワーク共有システムで、前記無線アクセスネットワークが端末機により選択されたコアネットワークオペレーターを通知される方法であって、
前記端末機からシグナリング連結を要請するための初期直接伝送(ＩＤＴ)メッセージを受信するステップと、
前記ＩＤＴメッセージから前記端末機により選択されたコアネットワークオペレーター識別子を獲得するステップと、
前記選択されたコアネットワークオペレーター識別子を貯蔵するステップと、
前記選択されたコアネットワークオペレーター識別子を用いてコアネットワークオペレーターを選択するステップと、
前記選択されたコアネットワークオペレーターを前記コアネットワークオペレーター識別子と接続するステップと、
を含むことを特徴とする通知方法。
【請求項８】
前記コアネットワークオペレーター識別子は、ＰＬＭＮ(Public Land Mobile Network)識別子であることを特徴とする請求項７に記載の通知方法。
【請求項９】
前記獲得ステップは、
前記ＩＤＴメッセージが、ＲＲＣ連結の設定以後に最初に発生したＩＤＴメッセージであるかを判断するステップと、
前記ＩＤＴメッセージが最初に発生したＩＤＴメッセージであれば、前記ＩＤＴメッセージから前記選択されたコアネットワークオペレーター識別子を獲得するステップと、
を含むことを特長とする請求項７に記載の通知方法。
【請求項１０】
前記獲得ステップは、
前記ＩＤＴメッセージが、ＲＲＣ連結の設定以後に最初に発生したＩＤＴメッセージであるかを判断するステップと、
前記ＩＤＴメッセージが最初に発生したＩＤＴメッセージでなければ、予め貯蔵されているコアネットワークオペレーター識別子から前記選択されたコアネットワークオペレーター識別子を獲得するステップと、
を含むことを特徴とする請求項７に記載の通知方法。
【請求項１１】
複数のコアネットワーク(ＣＮ)オペレーターにより共有される無線アクセスネットワーク(ＲＡＮ)を有するネットワーク共有システムで、端末機により選択されたコアネットワークオペレーターを前記無線アクセスネットワークに通知する装置であって、
シグナリング連結を要請するための初期直接伝送(ＩＤＴ)メッセージを発生し、前記端末機が無線資源接続(ＲＲＣ)連結を設定したセルからブロードキャストされる多重識別子リストのコアネットワークオペレーター識別子のうち、選択されたコアネットワークオペレーター識別子を前記ＩＤＴメッセージに挿入する制御部と、
前記ＩＤＴメッセージを前記無線アクセスネットワークに伝送する送受信部と、
を含むことを特徴とする通知装置。
【請求項１２】
前記コアネットワークオペレーター識別子は、ＰＬＭＮ(Public Land Mobile Network)識別子であることを特徴とする請求項１１に記載の通知装置。
【請求項１３】
前記制御部は、前記端末機が位置する現在のセルでＲＲＣ連結が存在しなければ、前記現在のセルを管理する無線網制御器(ＲＮＣ)とＲＲＣ連結を設定するように前記送受信部を制御し、前記ＲＲＣ連結の設定以後に前記現在のセルからブロードキャストされる多重識別子リストのコアネットワークオペレーター識別子のうち、一つを選択することを特徴とする請求項１１に記載の通知装置。
【請求項１４】
前記制御部は、前記現在のセルでＲＲＣ連結が存在すれば、メモリに貯蔵されている前記選択されたコアネットワークオペレーター識別子を読み出すことを特徴とする請求項１１に記載の通知装置。
【請求項１５】
前記制御部は、前記ＩＤＴメッセージが、前記ＲＲＣ連結の設定以後に最初に発生したＩＤＴメッセージであるかを判断し、前記ＩＤＴメッセージが最初に発生したＩＤＴメッセージであれば、前記ＩＤＴメッセージに前記選択されたコアネットワークオペレーター識別子を挿入して前記送受信部に伝送することを特徴とする請求項１１に記載の通知装置。
【請求項１６】
前記制御部は、前記ＩＤＴメッセージが最初に発生したＩＤＴメッセージでなければ、前記ＩＤＴメッセージにコアネットワークオペレーター識別子を挿入せず、前記送受信部に伝送することを特徴とする請求項１５に記載の通知装置。
【請求項１７】
複数のコアネットワーク(ＣＮ)オペレーターにより共有される無線アクセスネットワーク(ＲＡＮ)を有するネットワーク共有システムで、前記無線アクセスネットワークが端末機により選択されたコアネットワークオペレーターを通知される装置であって、
前記端末機からシグナリング接続を要求する初期直接伝送(ＩＤＴ)メッセージを受信する受信機と、
前記ＩＤＴメッセージから選択されたＣＮオペレーター識別子を獲得して前記選択されたＣＮオペレーター識別子を用いてＣＮオペレーターを選択し、前記ＣＮオペレーター識別子に対応する前記ＣＮオペレーターと前記端末機との間の接続設定を制御する制御部と、
前記選択されたＣＮオペレーター識別子を貯蔵するメモリと、
前記端末機及び前記ＣＮオペレーターと通信する送信機と、
を含むことを特徴とする通知装置。
【請求項１８】
前記ＣＮオペレーター識別子は、ＰＬＭＮ(Public Land Mobile Network) 識別子であることを特徴とする請求項１７に記載の通知装置。
【請求項１９】
前記制御部は、前記ＩＤＴメッセージがＲＲＣ連結の設定以後に最初に発生したＩＤＴメッセージであるかを判断し、前記ＩＤＴメッセージが最初に発生したＩＤＴメッセージであれば、前記ＩＤＴメッセージから前記選択されたコアネットワークオペレーター識別子を獲得することを特徴とする請求項１７に記載の通知装置。
【請求項２０】
前記制御部は、前記ＩＤＴメッセージがＲＲＣ連結の設定以後に最初に発生したＩＤＴメッセージであるかを判断し、前記ＩＤＴメッセージが最初に発生したＩＤＴメッセージでなければ、前記メモリに予め貯蔵されている前記選択されたコアネットワークオペレーター識別子を獲得することを特徴とする請求項１７に記載の通知装置。
【発明の詳細な説明】
【技術分野】
【０００１】
本発明は、ネットワークを共有する(Network Sharing;ＮＳ)システムに係り、特に、端末機から選択されたコアネットワーク(Core Network;ＣＮ)オペレーターを無線アクセスネットワークに知らせる方法及び装置に関する。
【背景技術】
【０００２】
移動通信システムは基本的に無線アクセスネットワーク(Radio Access Network;ＲＡＮ)と使用者端末(User Equipment;ＵＥ)で構成される。無線アクセスネットワークは基地局を備え、コアネットワーク(ＣＮ)を介して他のネットワークに連結される。相異なる無線アクセス技術を用いるか、相異なるオペレーターにより運営される無線アクセスネットワークは、同じ又は相異なるコアネットワークオペレーターにより運営される複数のコアネットワークに接続されうる。ここで、相異なるコアネットワークオペレーターが無線アクセスネットワークを共有する構造をネットワーク共有(ＮＳ)と称する。
【０００３】
詳しくは、符号分割多重接続(Code Division Multiple Access；ＣＤＭＡ)技術を使用するセルラー移動通信システムにおいて、無線アクセスネットワークは基地局送受信機(Base Transceiver Subsystem；ＢＴＳ)と基地局制御器(Base Station Controller)を備え、移動交換局(Mobile Switching Center；ＭＳＣ)で構成されるコアネットワークに接続される。その他の場合、ＧＳＭ(Global System for Mobile Communications)に基づくＷＣＤＭＡ(Wideband CDMA)、すなわち、ＵＭＴＳ(Universal Mobile Telecommunication System)システムの無線アクセスネットワークはノードＢ(Node B)と無線網制御器(Radio Network Controller；ＲＮＣ)で構成され、ＳＧＳＮ(Serving GPRS(General Packet Radio Service) Support Node)からなるコアネットワークに接続される。
【０００４】
コアネットワークオペレーターはＰＬＭＮ(Public Land Mobile Network)識別子(ＩＤ)により区別され、ＰＬＭＮ ｉｄはＭＣＣ(Mobile Country Code)とＭＮＣ(Mobile Network Code)の組合せである。端末機はネットワークの制御下で又は自体的に所望のコアネットワークオペレーターに相当するＰＬＭＮ ｉｄを選択する。前記選択されたコアネットワークをアクセスするためには、端末機が前記無線アクセスネットワークに前記ＰＬＭＮ ｉｄを知らせる必要がある。
【０００５】
しかしながら、従来の技術では、端末機が選択されたＰＬＭＮ ｉｄを何時及びどのように前記無線アクセスネットワークに伝送するかに対する具体的な手続きが存在しないので、前記無線アクセスネットワークは選択されたコアネットワークに端末機を正確にルーティングできなかった。
【０００６】
したがって、端末機は選択されたＰＬＭＮ  ｉｄを知らせるための具体的なシグナリング手続きを必要とする。
【発明の開示】
【発明が解決しようとする課題】
【０００７】
前記背景に鑑みて、本発明の目的は、ネットワーク共有(ＮＳ)システムで端末機により選択されたＰＬＭＮ ｉｄを通知するためのシグナリング方法及び装置を提供することにある。
【課題を解決するための手段】
【０００８】
このような目的を達成するために、本発明の一側面によれば、複数のコアネットワーク(Core Network;ＣＮ)オペレーターにより共有される無線アクセスネットワーク(Radio Access Network;ＲＡＮ)を有するネットワーク共有システムで、端末機により選択されたコアネットワークオペレーターを前記無線アクセスネットワークに通知する方法であって、シグナリング連結を要請するための初期直接伝送(ＩＤＴ)メッセージを発生するステップと、無線資源制御(ＲＲＣ)連結を設定したセルからブロードキャストされる多重識別子リストのコアネットワークオペレーター識別子のうち、選択されたコアネットワークオペレーター識別子(ＩＤ)を獲得するステップと、前記獲得したコアネットワークオペレーター識別子を前記ＩＤＴメッセージに挿入して前記無線アクセスネットワークに伝送するステップと、を含むことを特徴とする。
【０００９】
さらに、本発明の他側面によれば、複数のコアネットワーク(ＣＮ)オペレーターにより共有される無線アクセスネットワーク(ＲＡＮ)を有するネットワーク共有システムで、前記無線アクセスネットワークが端末機により選択されたコアネットワークオペレーターを通知される方法であって、前記端末機からシグナリング連結を要請するための初期直接伝送(ＩＤＴ)メッセージを受信するステップと、前記ＩＤＴメッセージから前記端末機により選択されたコアネットワークオペレーター識別子を獲得するステップと、前記選択されたコアネットワークオペレーター識別子を貯蔵するステップと、前記選択されたコアネットワークオペレーター識別子を用いてコアネットワークオペレーターを選択するステップと、前記選択されたコアネットワークオペレーターを前記コアネットワークオペレーター識別子と接続するステップと、を含むことを特徴とする。
【００１０】
本発明のまた他側面によれば、複数のコアネットワーク(ＣＮ)オペレーターにより共有される無線アクセスネットワーク(ＲＡＮ)を有するネットワーク共有システムで、端末機により選択されたコアネットワークオペレーターを前記無線アクセスネットワークに通知する装置であって、シグナリング連結を要請するための初期直接伝送(ＩＤＴ)メッセージを発生し、前記端末機が無線資源接続(ＲＲＣ)連結を設定したセルからブロードキャストされる多重識別子リストのコアネットワークオペレーター識別子のうち、選択されたコアネットワークオペレーター識別子を前記ＩＤＴメッセージに挿入する制御部と、前記ＩＤＴメッセージを前記無線アクセスネットワークに伝送する送受信部と、を含むことを特徴とする。
【発明の効果】
【００１１】
本発明によれば、端末機をサービスする無線アクセスネットワークが複数のコアネットワークにより共有される場合、端末機により選択されたコアネットワークオペレーター識別子を初期直接伝送(ＩＤＴ)メッセージを用いて無線アクセスネットワークのサービング無線網制御器に効果的に知らせる。これにより、無線アクセスネットワークが端末選択されたコアネットワークを正確に確かめて前記端末選択されたコアネットワークにルーティングを行える。さらに、端末機が伝送する最初のＩＤＴメッセージのみにコアネットワークオペレーター識別子を含ませることにより、シグナリングオーバーヘッドを減少させる。
【発明を実施するための最良の形態】
【００１２】
以下、本発明の好適な実施形態を添付図面を参照して詳細に説明する。下記の説明において、本発明の要旨のみを明瞭にする目的で、関連した公知の機能又は構成についての具体的な説明は省略する。
【００１３】
本発明は、無線アクセスネットワーク(ＲＡＮ)が相異なるコアネットワークオペレーターにより共有されるネットワーク共有(ＮＳ)システムで、前記無線アクセスネットワークをアクセスする端末機により選択されたコアネットワークオペレーターを示すコアネットワークオペレーター識別子、すなわち、ＰＬＭＮ(Public Land Mobile Network)ｉｄを前記無線アクセスネットワークに知らせるためのシグナリングと端末機の動作に関する。以下、ＰＬＭＮ ｉｄを知らせるための具体的なシグナリング手続き及びＰＬＭＮ ｉｄを含ませるための端末機の動作を説明する。特に、シグナリングメッセージにＰＬＭＮ ｉｄを含ませる時点と、シグナリングメッセージに含ませるＰＬＭＮ ｉｄに関連した端末機の動作とを含む。
【００１４】
図１は、相異なるコアネットワークオペレーターが無線アクセスネットワーク(ＲＡＮ)を共有するネットワーク共有(ＮＳ)システムの構造を示す。ここでは第３世代の非同期移動通信方式の標準である３ＧＰＰ(3rd Generation Partnership Project)に基づくネットワークの構造を示したが、本発明は前記構造に限らず、無線アクセスネットワークが複数のコアネットワークオペレーターにより共有される各種の技術分野に適用可能なのは明らかである。
【００１５】
図１を参照すれば、サービス領域セル１２２内の無線アクセスネットワーク(ＲＡＮ)１２０は無線網制御器(ＲＮＣ)又は基地局制御器(Base Station Controller；ＢＳＣ)で構成され、Ｉｕインターフェース及び/又はＡ/Ｇｂインターフェースを介して移動交換局(ＭＳＣ)又はＳＧＳＮ(Serving GPRS  (General Packet Radio Service) Support Node)で構成されるコアネットワークノード１１２，１１４，１１６に接続される。
【００１６】
相異なるコアオペレーターＡ，Ｂ，Ｃ(１０２，１０４，１０６)はＭＳＣ/ＳＧＳＮ(１１２-１１６)を共有し、ＲＡＮ１２０はコアネットワークオペレーターＸに属し、オペレーターＡ，Ｂ，Ｃ(１０２，１０４，１０６)とともに共有される。前記共有されているＲＡＮ１２０は、セル１２２に存在するＢＣＣＨ(Broadcast Control Channel)を介して端末機１３０にブロードキャストされるシステム情報を用いて前記セル１２２に属するコアネットワークオペレーターＸのみならず、前記セル１２２を共有しているコアネットワークオペレーターＡ，Ｂ，Ｃ(１０２-１０６)を示すＰＬＭＮ ｉｄ、すなわち、多重ＰＬＭＮリストを伝送する。端末機１３０は前記多重ＰＬＭＮリストに基づいてＡＳ(Access Stratum)階層又はＮＡＳ(Non Access Stratum)階層による一つのＰＬＭＮ ｉｄを選択する。ここで、ＡＳ階層はＲＮＣと端末機とのＵｕインターフェースに関連したプロトコルを担当し、ＮＡＳ階層は前記ＡＳ階層の上位として端末機とコアネットワークとのインターフェースに関連したプロトコルを行う。
【００１７】
前記端末機１３０はＲＡＮ１２０と無線資源制御(Radio Resource Control;ＲＲＣ)プロトコルを用いて通信を行い、ＲＡＮ１２０とＲＲＣメッセージを交換する。ＲＲＣメッセージの一種である直接伝送(Direct Transfer)メッセージはコアネットワークの種類と関連したＲＲＣメッセージのうち、呼制御(Call Control:ＣＣ)と移動性管理(Mobility Management:ＭＭ)を伝送する。前記直接伝送メッセージはコアネットワークと関連した情報要素を含む。前記直接伝送メッセージとしては初期直接伝送(ＩＤＴ)メッセージ、下りリンク直接伝送(ＤＴ)メッセージ及び上がりリンク直接伝送(ＤＴ)メッセージがある。前記ＩＤＴメッセージは端末機から無線アクセスネットワークとの通信が最初に要求されたときにシグナリング連結の設定を要請するために伝送される。前記下りリンク/上りリンクＤＴメッセージは前記ＩＤＴメッセージの以後にＣＣ/ＭＭに関連した情報要素を運ぶ。
【００１８】
選択されたＰＬＭＮ ｉｄをネットワークに知らせるためには、ＲＲＣシグナリングの一つである初期直接伝送(ＩＤＴ)シグナリングフロー(flow)が用いられる。一例として、図２には端末機２０２がＵＭＴＳ(Universal Mobile Telecommunication Service)ＲＡＮ(以下、ＵＴＲＡＮと称する)２０４に伝送するＩＤＴメッセージ２１０を示した。前記ＩＤＴメッセージ２１０は、上位階層からネットワークとシグナリング連結の設定を要請されるか、または初期ＮＡＳメッセージの伝送を要請されたとき、端末機２０２からＵＴＲＡＮ２０４へ上りリンクを介して伝送される。
【００１９】
前記ＩＤＴメッセージ２１０は、ＡＭ(Acknowledged Mode)ＲＬＣ(Radio Link Controller)により専用制御チャンネル(Dedicated Control Channel;ＤＣＣＨ)を介して伝送される。ＵＴＲＡＮ２０４は、前記ＩＤＴメッセージ２１０を受信すれば、前記ＩＤＴメッセージ２１０を用いて目標(Target)ドメインのコアネットワークノードとシグナリング連結を設定し、前記設定シグナリング連結によりＮＡＳメッセージを前記目標ネットワークのノードへ伝送するためのルーティングを行う。
【００２０】
前記ＩＤＴメッセージは、端末機のコアネットワークオペレーターの登録のために多重ＰＬＭＮリストのうち、端末機のＡＳ又はＮＡＳ階層により選択されたＰＬＭＮ ｉｄを含む。前記ＲＡＮは前記ＩＤＴメッセージに含まれたＰＬＭＮ ｉｄに基づいて端末機のコアネットワークオペレーターを決め、ＮＡＳメッセージのルーティングを正確に行う。この際、前記端末機は前記端末機に有効セルを提供できるコアネットワークオペレーターに相当するＰＬＭＮ ｉｄを選択する。
【００２１】
前記ＵＭＴＳシステムでは、端末機が初期ＲＲＣ連結を設定したＲＮＣをＳＲＮＣと称する。前記端末機がセル間の移動により他のＲＮＣによりカバーされるセルへ移動すれば、端末機は前記他のＲＮＣを用いて前記ＳＲＮＣに接続し、前記他のＲＮＣはドリフトＲＮＣ(Drift ＲＮＣ;ＤＲＮＣ)と称する。ここで、ＤＲＮＣは前記端末機に対する制御権を備えず、ＳＲＮＣと端末機との間のメッセージを中継(relay)する。
【００２２】
この場合、ＤＲＮＣは端末機が位置する現在のセルにＰＬＭＮ ｉｄをブロードキャストする。ＤＲＮＣとＳＲＮＣが相異なる場合、端末機とコアネットワークとのＮＡＳメッセージのルーティングを行うＳＲＮＣは、前記ＰＬＭＮ ｉｄと無関係なので、コアネットワークオペレーターを選択してＮＡＳメッセージをルーティングするのに前記ＤＲＮＣのＰＬＭＮ ｉｄを使用できない。これは、前記ＤＲＮＣのＰＬＭＮ ｉｄを使用する場合、ＳＲＮＣに誤動作やエラーをもたらすからである。したがって、本発明の好ましい実施形態によるＩＤＴメッセージは、現在のセルからブロードキャストされるＰＬＭＮ ｉｄの代わりに、ＲＲＣ連結を成功的に設定したセルからブロードキャストされるＰＬＭＮ ｉｄのうち、選択されたＰＬＭＮ ｉｄを含む。
【００２３】
従って、ＮＳシステムで端末機はＲＲＣ連結を設定したセルからブロードキャストされるＰＬＭＮ ｉｄのうち、選択されたＰＬＭＮ ｉｄをＩＤＴメッセージに含ませる。このために端末機は、ＲＲＣ連結が成功的に設定されたとき、前記ＲＲＣ連結を設定したセルからブロードキャストされる多重ＰＬＭＮリストまたは前記多重ＰＬＭＮリストから選択されたＰＬＭＮ  ｉｄを貯蔵する。
【００２４】
図３は、本発明の好ましい一実施形態に応じてＵＴＲＡＮへ伝送するＩＤＴメッセージに選択されたＰＬＭＮ ｉｄを含ませる動作を示す。示したＮＳシステムで、端末機は選択されたＰＬＭＮをネットワークに知らせるためのＩＤＴシグナリングを用いる。前記端末機は、ＲＲＣ連結を成功的に設定したセルからブロードキャストされるＰＬＭＮ ｉｄのうち、選択されたＰＬＭＮ ｉｄを各ＩＤＴメッセージに含ませて伝送する。参照符号３０１はＳＲＮＣ３２１によりカバーされるセル３１１に位置している端末機を示す。セル３１１ではＳＲＮＣ３２１を共有しているコアネットワークオペレーターに対するＰＬＭＮ ｉｄをシステム情報ブロック(System Information Block;ＳＩＢ)を用いてブロードキャストしている。
【００２５】
図３を参照すれば、ステップ３３１で端末機３０１はセル３１１からブロードキャストされるＰＬＭＮ ｉｄを獲得して前記ＰＬＭＮ ｉｄのうち、一つを選択する。例えば、前記端末機３０１はセル３１１からブロードキャストされるＰＬＭＮ ｉｄのうち、前記端末機３０１に対してセル３１１が有効セルとなる適宜のＰＬＭＮ ｉｄを選択する。前記ＰＬＭＮの選択は前記端末機３０１のＡＳ又はＮＡＳ階層で行われる。他の例として、前記端末機３０１は所定のコアネットワークオペレーターの優先度に基づき最高の優先度を有するコアネットワークオペレーターのＰＬＭＮ ｉｄを選択する。前記適宜なＰＬＭＮ ｉｄの選択に対する詳細説明は省略する。ステップ３３２では、端末機３０１の上位階層によりネットワークとのシグナリング連結が要請されるか、または初期ＮＡＳメッセージの伝送が要求される。前記ステップ３３２はＩＤＴメッセージの伝送を誘発させ、このときＲＲＣ連結が設定されていなければ、端末機はＩＤＴメッセージの伝送前にＳＲＮＣ３２１とＲＲＣ連結を設定する。
【００２６】
ステップ３３３で、前記端末機３０１はＩＤＴシグナリングのためのＲＲＣ連結を設定し、前記ＲＲＣ連結を設定したセル３１１に対して前記ステップ３３１で選択されたＰＬＭＮ ｉｄを貯蔵する。ステップ３３４では、前記設定されたＲＲＣ連結によりＩＤＴメッセージが伝送される。前記ＩＤＴメッセージは前記ステップ３３３で貯蔵されたＰＬＭＮ ｉｄを含む。前記ＩＤＴメッセージを受信したＳＲＮＣ３２１は、前記ＩＤＴメッセージに含まれているＰＬＭＮ ｉｄから選択されたＰＬＭＮ、すなわち、コアネットワークオペレーターを決定し、前記選択されたＰＬＭＮのコアネットワークノードにシグナリング連結によりＮＡＳメッセージを伝送する。この際、ＳＲＮＣ３２１は前記ＩＤＴメッセージに含まれているＰＬＭＮ ｉｄを前記端末機３０１に対するＵＥコンテキストに貯蔵することができる。
【００２７】
端末機３０１はＳＲＮＣ３２１のセル３１１からＤＲＮＣ３２２のセル３１２に移動して端末機３０２となる。前記セル３１２はセル３１１と少なくとも一部分の異なるＰＬＭＮ ｉｄをブロードキャストしている。例えば、ＤＲＮＣ３２２がＳＲＮＣ３２１とは全体的に異なるコアネットワークオペレーターにより共有される場合、セル３１２でブロードキャストされるＰＬＭＮ ｉｄはセル３１１からブロードキャストされるＰＬＭＮ ｉｄとは異なる。
【００２８】
ステップ３３５では、端末機３０２の上位階層からネットワークとのシグナリング連結が要請されるか、または初期ＮＡＳメッセージの伝送が要求される。ここで、端末機３０２はセル３１１からセル３１２へ移動しながら、アイドルモードに遷移せず、ＲＲＣ接続モードを維持している。前記ステップ３３５は様々な方式で具現が可能であり、例えば、前記端末機３０２がＣＭＭ(Circuit Mobility Management)_ConnectedモードでＰＳ(Packet Switched)ドメインに対してシグナリング連結を要請するときに発生が可能である。その他にも、ＩＤＴメッセージは連続的に発生しうるが、各々の場合に対する詳細は本発明の要旨を明瞭にする目的で省略する。
【００２９】
ステップ３３６では、前記ステップ３３５により要求されたＩＤＴメッセージが端末機３０２からＤＲＮＣ３２２へ伝送される。前記ステップ３３６のＩＤＴメッセージは、ステップ３３４のように前記ステップ３３１で端末機３０２により選択されたＰＬＭＮ ｉｄを含む。すなわち、端末機３０２は現在位置しているセル３１２からブロードキャストされるＰＬＭＮ ＩＤのうち、選択されたＰＬＭＮ ｉｄでなく、ＲＲＣ連結を設定したセル３１１からブロードキャストされるＰＬＭＮ ｉｄのうち、選択されたＰＬＭＮ ｉｄをＩＤＴメッセージに含ませて現在位置しているセル３１２へ伝送する。ステップ３３７で、ＤＲＮＣ３２２は前記ステップ３３６で受信したＩＤＴメッセージをＳＲＮＣ３２１に伝える。前記ＳＲＮＣ３２１は前記ステップ３３７のＩＤＴメッセージに含まれたＰＬＭＮ ｉｄに基づいて前記ＩＤＴメッセージを処理するためのコアネットワークオペレーターを選択する。
【００３０】
前記端末機３０２がセル３１１からセル３１２へ移動するまえにアイドルモードに遷移すれば、前記ステップ３３５の以後に前記端末機３０２はＲＮＣ３２２とＲＲＣ連結を設定する。この際、前記端末機３０２はＲＮＣ３２２とＲＲＣ連結を設定した後に(前記ＲＮＣ３２２は端末機３０２のＳＲＮＣとなる。)、セル３１２からブロードキャストされるＰＬＭＮ ｉｄのうち、一つを選択し、前記新たに選択されたＰＬＭＮ ｉｄはＩＤＴメッセージを含む。
【００３１】
上述したように、本発明の好適な実施形態において、端末機はＲＲＣ連結を設定したセルからブロードキャストされるＰＬＭＮ ｉｄのうち、選択されたＰＬＭＮ ｉｄを、ＩＤＴシグナリングを用いて伝送する。仮に、ＲＲＣ連結が存在しなければ、前記端末機はＲＲＣ連結を設定した後に、前記選択されたＰＬＭＮ ｉｄをＩＤＴシグナリングを用いて伝送する。すなわち、現在のセルがＲＲＣ連結を設定したセルであれば、端末機は現在のセルからブロードキャストされた選択されたＰＬＭＮ ｉｄをＩＤＴメッセージに含ませる。前記端末機が他のセルへ移動すれば、前記端末機は前記ＲＲＣ連結を設定したセルから選択されたＰＬＭＮ ｉｄを貯蔵し、前記貯蔵したＰＬＭＮ ｉｄ値は後期のＩＤＴメッセージの伝送時に用いられる。
【００３２】
図４は、図３の実施形態を適用した端末機の動作を示したフローチャートである。
図４を参照すれば、ステップ４０１で上位階層の要請によりＩＤＴシグナリングが始り、端末機でＩＤＴメッセージが発生される。ステップ４０２で、前記端末機は現在ＲＲＣ連結が存在するか、すなわち、ＲＲＣ接続モードにあるかを確かめる。仮に、ＲＲＣ連結が存在すれば、前記端末機はステップ４１１に進んでＩＤＴメッセージに含まれるＰＬＭＮ ｉｄを、前記ＲＲＣ連結を成功的に設定したセルからブロードキャストされるＰＬＭＮ ｉｄのうち、選択されたＰＬＭＮ ｉｄとして決定する。ここで、前記端末機は前記ＲＲＣ連結を設定したセルから選択されたＰＬＭＮ ｉｄをＰＬＭＮ_ＩＤ_ＩＮ_ＲＲＣ_ＣＯＮＮＥＣＴＩＯＮとの名称として既に貯蔵している。ステップ４２１で、前記端末機は前記決定されたＰＬＭＮ ｉｄを含むＩＤＴメッセージを現在のセルの無線アクセスネットワークへ伝送する。本発明の他の実施形態として、前記端末機はＲＲＣ連結を設定したセルからブロードキャストされるＰＬＭＮ ｉｄを貯蔵し、ＩＤＴシグナリングの要求時に前記ＰＬＭＮ ｉｄのうち、選択された一つのＰＬＭＮ ｉｄをＩＤＴメッセージとともに伝送する。この場合、ＰＬＭＮ ｉｄの選択は現在のセルで行われるが、前記ＰＬＭＮ ｉｄはＲＲＣ連結を設定したセルから得られる。
【００３３】
仮に、前記ステップ４０２でＲＲＣ連結が存在しなければ、前記端末機はステップ４１２に進んで現在のセルのＲＮＣとＲＲＣ連結を設定する。ここで、前記ＲＲＣ連結を設定するＲＮＣは前記端末機のＳＲＮＣとなる。前記ＲＲＣ連結が成功的に設定されれば、前記端末機はステップ４１３に進んで前記ＲＲＣ連結を設定した現在のセルからブロードキャストされるＰＬＭＮ ｉｄのうち、選択されたＰＬＭＮ ｉｄをＰＬＭＮ_ＩＤ_ＩＮ_ＲＲＣ_ＣＯＮＮＥＣＴＩＯＮとして貯蔵する。その後、ステップ４１１で、前記端末機は前記ＰＬＭＮ_ＩＤ_ＩＮ_ＲＲＣ_ＣＯＮＮＥＣＴＩＯＮをＩＤＴメッセージに含まれるＰＬＭＮ ｉｄとして決定し、ステップ４２１では前記決定されたＰＬＭＮ ｉｄを含むＩＤＴメッセージを前記ＳＲＮＣへ伝送する。
【００３４】
本発明の好ましい他の実施形態において、前記端末機はＲＲＣ連結の設定以後に無線アクセスネットワークに最初に伝送するＩＤＴメッセージのみに選択されたＰＬＭＮ ｉｄを含ませ、連続的に発生するＩＤＴメッセージには前記選択されたＰＬＭＮ ｉｄを含まないことにより、シグナリングオーバーヘッドを減らす。前記ＳＲＮＣは、端末機が伝送した最初のＩＤＴメッセージに含まれたＰＬＭＮ ｉｄを前記端末機に対する連結情報及びプロファイル情報などを含むＵＥコンテキストに貯蔵して管理する。前記ＳＲＮＣは、最初のＩＤＴメッセージ以後のＩＤＴメッセージに対して端末機から選択されたＰＬＭＮ ｉｄを前記ＵＥコンテキストから決定することができ、前記選択されたＰＬＭＮ ｉｄを用いて前記以後のＩＤＴメッセージを処理するコアネットワークオペレーターを選択する。前記端末機とＳＲＮＣのＲＲＣ連結が解除されれば、前記貯蔵された情報は初期化される。
【００３５】
図５は、本発明の他の実施形態に応じて端末機がＵＴＲＡＮへ伝送する最初のＩＤＴメッセージに選択されたＰＬＭＮ ｉｄを含ませる動作を示す。
図５を参照すれば、ステップ５３１で端末機５０１は現在位置しているセル５１１からブロードキャストされるＰＬＭＮ ｉｄを受信し、前記ＰＬＭＮ ｉｄのうち、一つのＰＬＭＮを選択する。ステップ５３２では、前記端末機５０１の上位階層によりネットワークとのシグナリング接続または初期ＮＡＳメッセージの伝送が要請される。この際、セル５１１でＲＲＣ連結を設定していなければ、ステップ５３３で前記端末機５０１はＳＲＮＣ５２１とＲＲＣ連結の設定を行う。前記ＲＲＣ連結が設定されれば、前記端末機５０１は前記ＲＲＣ連結の設定されたセル５１１からブロードキャストされるＰＬＭＮ ｉｄのうち、選択されたＰＬＭＮ ｉｄを貯蔵する。
【００３６】
ステップ５３４で、前記ＲＲＣ連結を設定したセル５１１で前記ＲＲＣ連結により前記端末機５０１は前記貯蔵されたＰＬＭＮ ｉｄを、前記ＲＲＣ連結を設定した後に最初に発生したＩＤＴメッセージに含ませて伝送する。すなわち、図５の端末機５０１は現在のセル５１１でＲＲＣ連結を設定したので、現在のセル５１１で選択されたＰＬＭＮ ｉｄを前記最初のＩＤＴメッセージに含ませる。ステップ５３５で、前記最初のＩＤＴメッセージを受信したＳＲＮＣは前記最初のＩＤＴメッセージに含まれている前記ＰＬＭＮ ｉｄ情報を前記端末機５０１に対するＵＥコンテキストに貯蔵する。前記ＵＥコンテキストに貯蔵されたＰＬＭＮ ｉｄは、前記ＳＲＮＣ５２１があとで前記端末機５０１から受信するＩＤＴメッセージのコアネットワークオペレーターを選択するときに用いられる。
【００３７】
前記端末機５０１はＳＲＮＣ５２１のセル５１１からＤＲＮＣ５２２のセル５１２へ移動して端末機５０２となる。前記セル５１２はセル５１１と少なくとも一部分の異なるＰＬＭＮ ｉｄをブロードキャストしている。一例として、ＤＲＮＣ５２２がＳＲＮＣ５２１とは全体的に異なるコアネットワークオペレーターにより共有される場合、セル５１２でブロードキャストされるＰＬＭＮ ｉｄはセル５１１からブロードキャストされるＰＬＭＮ ｉｄとは相異なる。
【００３８】
ステップ５３６で、端末機５０２の上位階層からネットワークとのシグナリング連結が要請されるか、または初期ＮＡＳメッセージの伝送が要求される。ここで、端末機５０２はセル５１１からセル５１２へ移動しながら、アイドルモードに遷移せず、ＲＲＣ接続モードを維持している。ステップ５３７では、前記ステップ５３６により要求されたＩＤＴメッセージが端末機５０２からＤＲＮＣ５２２へ伝送される。この際、前記ステップ５３７のＩＤＴメッセージは、端末機５０２がＲＲＣ連結を設定した後に最初に伝送するものでないため、前記ＩＤＴメッセージは前記選択されたＰＬＭＮ ｉｄを含まない。
【００３９】
ステップ５３８で、ＤＲＮＣ５２２は前記ステップ５３７で受信したＩＤＴメッセージをＳＲＮＣ５２１へ伝送する。前記ＳＲＮＣ５２１は前記ステップ５３７のＩＤＴメッセージを受信すれば、前記ステップ５３５で前記端末機５０２に対するＵＥコンテキストに貯蔵されたＰＬＭＮ ｉｄに基づき前記ＩＤＴメッセージを処理するためのコアネットワークオペレーターを選択する。
【００４０】
上述した本発明の他の実施形態によれば、前記端末機がＩＤＴメッセージごとにＰＬＭＮ ｉｄを含まず、ＲＲＣ連結を設定した後に最初のＩＤＴメッセージのみに前記選択されたＰＬＭＮ ｉｄを含ませる。前記ＳＲＮＣは前記最初のＩＤＴメッセージを受信するとき、前記ＵＥコンテキストに貯蔵されたＰＬＭＮ ｉｄ情報に基づいて動作する。仮に、ＳＲＮＣ再割当て(relocation)が行われると、前記ＳＲＮＣは前記ＵＥコンテキストに貯蔵されたＰＬＭＮ ｉｄを新たなＳＲＮＣに提供する。
【００４１】
図６は、図５の実施形態を適用したＳＲＮＣの動作を示したフローチャートである。
図６を参照すれば、ステップ６０１でＳＲＮＣは端末機からＩＤＴメッセージを受信し、ステップ６０２で前記受信したＩＤＴメッセージに前記端末選択されたＰＬＭＮ ｉｄが含まれているかを確かめる。仮に、ＰＬＭＮ ｉｄが含まれていると、前記ＳＲＮＣはステップ６１１に進んで前記端末機のためのＵＥコンテキストに前記ＰＬＭＮ ｉｄをＣＨＯＳＥＮ_ＰＬＭＮ_ＩＤとして貯蔵する。ステップ６１２で、前記ＳＲＮＣは前記ＣＨＯＳＥＮ_ＰＬＭＮ_ＩＤを用いて前記ＩＤＴメッセージをルーティングするための前記端末機のコアネットワークオペレーターを選択する。
【００４２】
仮に、ステップ６０２で前記ＩＤＴメッセージがＰＬＭＮ ｉｄを含まなければ、前記ＳＲＮＣは前記端末機のＵＥコンテキストに貯蔵されているＰＬＭＮ ｉｄであるＣＨＯＳＥＮ_ＰＬＭＮ_ＩＤを読み出す。ステップ６１２で、前記ＳＲＮＣは前記読み出したＣＨＯＳＥＮ_ＰＬＭＮ_ＩＤを用いて前記端末機のコアネットワークオペレーターを選択する。
【００４３】
図示してはいないが、仮にＳＲＮＣの再割当てが行われると、前記ＳＲＮＣは新たなＳＲＮＣに前記ＣＨＯＳＥＮ_ＰＬＭＮ_ＩＤを含むＵＥコンテキストを提供する。
【００４４】
図７は図５の実施形態を適用した端末機の動作を示したフローチャートである。
図７を参照すれば、ステップ７０１で、端末機の上位階層によるネットワークとのシグナリング連結設定の要請または初期ＮＡＳメッセージの伝送要求によりＩＤＴシグナリングが始り、端末機でＩＤＴメッセージが発生する。ステップ７０２で、前記端末機は現在ＲＲＣ連結が存在するかを調べる。仮に、ＲＲＣ連結が存在しなければ、前記端末機はステップ７１１で現在位置しているセルのＲＮＣとの間にＲＲＣ連結を設定し、ステップ７１２で前記ＲＲＣ連結を設定したセルからブロードキャストされるＰＬＭＮ ｉｄのうち、前記端末選択されたＰＬＭＮ ｉｄをＰＬＭＮ_ＩＤ_ＩＮ_ＲＲＣ_ＣＯＮＮＥＣＴＩＯＮとして貯蔵した後に、ステップ７０３に進む。
【００４５】
仮に、ステップ７０２で前記ＲＲＣ連結が存在すれば、前記ステップ７０３に進む。前記ステップ７０３で、端末機は現在伝送しようとするＩＤＴメッセージがＲＲＣ連結を設定した後に発生した最初のメッセージであるかを調べる。ここで、最初のメッセージであれば、ステップ７０４で端末機は前記ＩＤＴメッセージに含まれるＰＬＭＮ ｉｄを、前記ＲＲＣ連結を設定したセルで端末選択されたＰＬＭＮ ｉｄであるＰＬＭＮ_ＩＤ_ＩＮ_ＣＯＮＮＥＣＴＩＯＮとして設定する。一方、ステップ７０３で、前記ＩＤＴメッセージがＲＲＣ連結の設定以後の最初のメッセージでなければ、ステップ７０６で端末機は前記ＩＤＴメッセージにＰＬＭＮ ｉｄを含ませない。前記ステップ７０４又は前記ステップ７０６で生成されたＩＤＴメッセージはステップ７０５で端末機からＳＲＮＣへ伝送される。このとき、端末機がＤＲＮＣのセルに位置すれば、前記ＩＤＴメッセージはＤＲＮＣを通ってＳＲＮＣへ伝えられる。
【００４６】
さらに、変形実施形態において、端末機はＲＲＣ連結を設定したセルからブロードキャストされるＰＬＭＮ ｉｄのうち、選択されたＰＬＭＮ ｉｄを、ＲＲＣ連結を設定した後に最初に発生したＩＤＴメッセージとともに伝送し、前記ＰＬＭＮ ｉｄの全部を貯蔵することができる。
【００４７】
図８は本発明の好ましい実施形態による端末機またはＲＡＮの構造を示したブロック図である。
まず、端末機の観点から図８を参照すれば、制御部８０４は上位階層(図示せず)の要請に応じてシグナリング連結を要請するためのＩＤＴメッセージを発生し、ＲＲＣ連結管理部８０２にＲＲＣ連結が存在するかを問い合わせる。前記ＲＲＣ連結管理部８０２は前記制御部８０４の問い合わせに応答して現在ＲＲＣ連結が存在するかを判断し、ＲＲＣ連結が存在しなければ、現在位置しているセルのＲＮＣとの間にＲＲＣ連結を設定するように送受信部８０８を制御する。前記送受信部８０８は前記制御によりＲＮＣとＲＲＣ連結を設定し、前記ＲＲＣ連結を設定したセルからブロードキャストされるＰＬＭＮ ｉｄを含むＳＩＢを前記ＲＮＣから受信して制御部８０４に伝送する。一方、ＲＲＣ連結が設定されていると、前記ＲＲＣ連結管理部８０２はＲＲＣ連結の存在を制御部８０４に知らせる。
【００４８】
ここで、ＲＲＣ連結が存在する場合、前記制御部８０４は送受信部８０８から提供された前記ＰＬＭＮ ｉｄのうち、適宜の一つのＰＬＭＮ ｉｄを選択し、前記選択されたＰＬＭＮ ｉｄをメモリ８０６に貯蔵する。一方、ＲＲＣ連結が存在しない場合、前記制御部８０４はメモリ８０６に貯蔵されている選択されたＰＬＭＮ ｉｄを読み出した後、そのＰＬＭＮ ｉｄを前記ＩＤＴメッセージとともに送受信部８０８に伝える。
【００４９】
この際、前記制御部８０４は前記発生されたＩＤＴメッセージが、前記ＲＲＣ連結を設定した後に最初に発生したものであるかを判断することができる。この場合、前記ＩＤＴメッセージが、前記ＲＲＣ連結を設定した後に最初に発生したものでなければ、前記制御部８０４は前記ＩＤＴメッセージに前記ＰＬＭＮ ｉｄを含ませず、前記送受信部８０８へ伝える。前記送受信部８０８は前記ＩＤＴメッセージを前記ＲＲＣ連結を用いて前記ＲＮＣへ伝送する。
【００５０】
図８に示した構成要素をＲＡＮの観点から説明することもできる。送受信部８０８がＩＤＴメッセージを受信すれば、制御部８０４は前記ＩＤＴメッセージから選択されたＣＮオペレーター識別子、すなわち、ＰＬＭＮ ｉｄを認知し、前記選択されたＣＮオペレーター識別子に対応するＣＮオペレーターを選択して前記端末と前記選択されたＣＮオペレーターとの間に接続を設定するように送受信部８０８を制御する。この際、制御部８０４は前記ＩＤＴメッセージが、ＲＲＣ連結の設定以後に最初に発生したものであるかを判断し、仮に最初に発生したものであれば、前記ＩＤＴメッセージから前記ＣＮオペレーター識別子を獲得し、前記獲得したＣＮオペレーター識別子をメモリに貯蔵する。一方、前記ＩＤＴメッセージが最初に発生したものでなければ、前記端末に対してメモリに予め貯蔵されたＣＮオペレーター識別子を読み出す。
【００５１】
ＲＲＣ連結管理部８０２は制御部８０４からの要請に応答して前記端末との間にＲＲＣ連結が存在するかを判断する。仮に、ＲＲＣ連結が存在しない場合、前記ＲＲＣ連結管理部８０２は端末とＲＲＣ連結を達成するように送受信部８０８を制御する。送受信部８０８は端末との間にＲＲＣ連結を設定するためのメッセージを送受信する。仮に、ＲＲＣ連結が存在すれば、ＲＲＣ連結管理部８０２は制御部８０４にＲＲＣ連結の存在を知らせる。メモリ８０６は端末から受信したＣＮオペレーター識別子及び端末に対する他の情報を貯蔵しうる。図８において、ＲＲＣ連結管理部８０２は制御部８０４とは異なる別途のブロックとして示されたが、管理及び制御機能(ブロック)は制御部の機能として具現が可能なのは明らかである。この場合、ＲＲＣ連結管理部８０２は制御部８０４のサブブロックとなり得る。
【００５２】
以上、本発明の詳細を具体的な実施形態に基づき説明してきたが、本発明の範囲を逸脱しない限り、各種の変形が可能なのは明らかである。従って、本発明の範囲は、前記実施形態に限定されるものではなく、特許請求の範囲の記載及び該記載と同等なものにより定められるべきである。
【図面の簡単な説明】
【００５３】
【図１】相異なるコアネットワークオペレーターが無線アクセスネットワーク(ＲＡＮ)を共有するネットワーク共有(ＮＳ)システムの構造図。
【図２】端末機と無線アクセスネットワークとの間の初期直接伝送（ＩＤＴ）シグナリング過程を示した図。
【図３】本発明の好適な一実施形態に応じて端末機がＵＴＲＡＮへ伝送するＩＤＴメッセージに選択されたＰＬＭＮ ｉｄを含ませる動作を示した図。
【図４】図３の実施の形態を適用した端末機の動作を示したフローチャート。
【図５】本発明の他の実施形態に応じて端末機がＵＴＲＡＮへ伝送する最初のＩＤＴメッセージに選択されたＰＬＭＮ ｉｄを含ませる動作を示した図。
【図６】図５の実施形態を適用したＳＲＮＣの動作を示したフローチャート。
【図７】図５の実施の形態を適用した端末機の動作を示したフローチャート。
【図８】本発明の好適な実施形態による端末機またはＲＡＮの構造を示したブロック図。
【符号の説明】
【００５４】
８０２      ＲＲＣ連結管理部
８０４      制御部
８０８      送受信部
８０６      メモリ
【図１】
2006174447.tif 000003
【図２】
2006174447.tif 000004
【図３】
2006174447.tif 000005
【図４】
2006174447.tif 000006
【図５】
2006174447.tif 000007
【図６】
2006174447.tif 000008
【図７】
2006174447.tif 000009
【図８】
2006174447.tif 000010
【外国語明細書】
2006174447.tif 000011
2006174447.tif 000012
2006174447.tif 000013
2006174447.tif 000014
2006174447.tif 000015
2006174447.tif 000016
2006174447.tif 000017
2006174447.tif 000018
2006174447.tif 000019
2006174447.tif 000020
2006174447.tif 000021
2006174447.tif 000022
2006174447.tif 000023
2006174447.tif 000024
2006174447.tif 000025
2006174447.tif 000026
2006174447.tif 000027
2006174447.tif 000028
2006174447.tif 000029
2006174447.tif 000030
2006174447.tif 000031
2006174447.tif 000032
2006174447.tif 000033